(57)【要約】      （修正有）【課題】アンカーボルトの取り付け位置にかかわらず、予め必要な部材を製作しておくことができ、簡単に施工することができるコンクリート構造物用伸縮継手を提供する。【解決手段】コンクリート構造物１１，１１間の目地部１２に跨って配置される可撓性の伸縮継手１３と、この伸縮継手１３の両端部の碇着部１３ｂに当てられてコンクリート構造物１１，１１とで挟むように押える押え部材１７と、コンクリート構造物１１，１１に取り付けたアンカーボルト１４で押え部材１７を押えて碇着部13ｂを圧接する固定部材１８とを備えている。これにより、伸縮継手１３の碇着部１３ｂに押え部材１７を当て、アンカーボルト１４を中心に回転させて固定部材１８をコンクリート構造物１１，１１に固定することで、アンカーボルト１４の位置にかかわらず、荷重を分散して面圧を均一化して伸縮継手１３を固定できる。【選択図】図２
2010150807.tif 000002
【特許請求の範囲】
【請求項１】
コンクリート構造物間の目地部に跨って配置される可撓性の伸縮継手と、
この伸縮継手の両端部の碇着部に当てられて前記コンクリート構造物とで挟むように押える押え部材と、
前記コンクリート構造物に取り付けたアンカーボルトで中間板状部が固定されこの中間板状部の両側に形成される両側板部の基端部を当該コンクリート構造物に当てるとともに、両側板部の先端部で前記押え部材を押えて前記碇着部を圧接する固定部材とを備えたことを特徴とするコンクリート構造物用伸縮継手の固定構造。
【請求項２】
前記押え部材をリップ溝型形状に構成したことを特徴とする請求項１記載のコンクリート構造物用伸縮継手の固定構造。
【請求項３】
前記固定部材の両側板部の前記先端部に、前記押え部材を乗り越えて係止する係止突起部を形成して構成したことを特徴とする請求項１または２記載のコンクリート構造物用伸縮継手の固定構造。
【請求項４】
前記固定部材の両側板部の中間部に、前記押え部材を圧接する中間押えアーム部を設けて構成したことを特徴とする請求項１〜３のいずれかに記載のコンクリート構造物用伸縮継手の固定構造。
【請求項５】
コンクリート構造物間の目地部に跨って配置される可撓性の伸縮継手をコンクリート構造物に固定するに際し、
前記伸縮継手の碇着部に押え部材を当てて前記コンクリート構造物とで挟むようにした後、
前記碇着部より外側の前記コンクリート構造物に取り付けたアンカーボルトに固定部材の中間板状部を仮止めし、この固定部材を回転または移動させて前記中間板状部の両側に形成した両側板部の基端部を当該コンクリート構造物に当てるとともに、両側板部の先端部で前記押え部材を押え、当該固定部材をアンカーボルトに締め付けるようにしたことを特徴とするコンクリート構造物用伸縮継手の固定方法。
【請求項６】
アンカーボルトに挿通固定される中間板状部を備え、この中間板状部の両側の両側板部の先端部に押え部材を押える押えアーム部を備えるとともに、両側板部の基端部に前記中間板状部と同一面をなしコンクリート構造物に当接される弾性当接部を備えてなることを特徴とするコンクリート構造物用伸縮継手の固定部材。
【請求項７】
前記押えアーム部を、両側板部に加えて両側板部の中間部の中間押えアーム部を設けて構成したことを特徴とする請求項６記載のコンクリート構造物用伸縮継手の固定部材。
【発明の詳細な説明】
【技術分野】
【０００１】
この発明は、コンクリート構造物用伸縮継手の固定構造、その固定方法およびその固定部材に関し、コンクリートで構築される、水路、水処理施設、トンネル、共同溝などのコンクリート構造物の目地部に可撓性の伸縮継手を設置して止水および相対変位を可能として構造物の破損を防止できるようにしたもので、特に補修に好適なものである。
【背景技術】
【０００２】
コンクリートで構築されるコンクリート構造物である水路や水槽あるいは共同溝等の地中に構築される暗渠などの壁部分の目地部には、内外を止水するとともにその両側のコンクリート構造物の不等沈下や地震時変位並びに温度変化等に起因する壁部分の伸縮等を許容する必要があり、コンクリート構造物の内側にゴムや合成樹脂の止水板などの可撓性の伸縮継手を設けた可撓止水構造が採られている。
【０００３】
このような可撓止水構造として、例えば特許文献１に開示された止水構造があり、図７に示すように、弾性材と一層以上の応力材を埋設した目地材１の中程にＵ型の溝状の余長部２を形成するとともに、両側に係止部３，３を形成して目地材１を構成する一方、コンクリート構造物４，４間の目地部５に形成した凹部６に目地材１の余長部２を納め、両側の係止部３、３をコンクリート構造物４，４に埋設固定したアンカーボルト７と押え板８を介して取り付けるようにしている。これにより、コンクリート構造物４，４の内側への目地材１の突き出しをなくし、水路とする場合の流れの抵抗を防止する。
【特許文献１】特開２０００−６４４４６号公報
【発明の開示】
【発明が解決しようとする課題】
【０００４】
このような止水構造は、新たにコンクリート構造物を構築する場合だけでなく、既存のコンクリート構造物に設けることで耐震補強を行なうために施工されたり、交換・補修のために施工される。
【０００５】
ところが、この止水構造を既設の暗渠などのコンクリート構造物に施工しようとすると、目地材１を固定するアンカーボルト７をコンクリート構造物４，４に穿孔して取り付ける必要があるが、コンクリート構造物４，４の鉄筋に当たる場合があり、穿孔位置をずらしてアンカーボルト７を取り付けなければならないことも多い。
【０００６】
このため、アンカーボルト７の取り付けが終わった段階で現場でボルトピッチなどを測定し、その結果に合わせて押え板８、目地材１などの製作及び孔加工を行なう必要があり、製作や孔加工が煩雑であり、工期も長くなるという問題がある。
【０００７】
この発明は、かかる従来技術の問題に鑑みてなされたものであって、アンカーボルトの取り付け位置にかかわらず、予め必要な部材を製作しておくことができ、簡単に施工することができるコンクリート構造物用伸縮継手の固定構造、その固定方法およびその固定部材を提供しようとするものである。
【課題を解決するための手段】
【０００８】
上記課題を解決するためこの発明の請求項１記載のコンクリート構造物用伸縮継手の固定構造は、コンクリート構造物間の目地部に跨って配置される可撓性の伸縮継手と、この伸縮継手の両端部の碇着部に当てられて前記コンクリート構造物とで挟むように押える押え部材と、前記コンクリート構造物に取り付けたアンカーボルトで中間板状部が固定されこの中間板状部の両側に形成される両側板部の基端部を当該コンクリート構造物に当てるとともに、両側板部の先端部で前記押え部材を押えて前記碇着部を圧接する固定部材とを備えたことを特徴とするものである。
【０００９】
また、この発明の請求項２記載のコンクリート構造物用伸縮継手の固定構造は、請求項１記載の構成に加え、前記押え部材をリップ溝型形状に構成したことを特徴とするものである。
【００１０】
さらに、この発明の請求項３記載のコンクリート構造物用伸縮継手の固定構造は、請求項１または２記載の構成に加え、前記固定部材の両側板部の前記先端部に、前記押え部材を乗り越えて係止する係止突起部を形成して構成したことを特徴とするものである。
【００１１】
また、この発明の請求項４記載のコンクリート構造物用伸縮継手の固定構造は、請求項１〜３のいずれかに記載の構成に加え、前記固定部材の両側板部の中間部に、前記押え部材を圧接する中間押えアーム部を設けて構成したことを特徴とするものである。
【００１２】
さらに、この発明の請求項５記載のコンクリート構造物用伸縮継手の固定方法は、コンクリート構造物間の目地部に跨って配置される可撓性の伸縮継手をコンクリート構造物に固定するに際し、前記伸縮継手の碇着部に押え部材を当てて前記コンクリート構造物とで挟むようにした後、前記碇着部より外側の前記コンクリート構造物に取り付けたアンカーボルトに固定部材の中間板状部を仮止めし、この固定部材を回転または移動させて前記中間板状部の両側に形成した両側板部の基端部を当該コンクリート構造物に当てるとともに、両側板部の先端部で前記押え部材を押え、当該固定部材をアンカーボルトに締め付けるようにしたことを特徴とするものである。
【００１３】
また、この発明の請求項６記載のコンクリート構造物用伸縮継手の固定部材は、アンカーボルトにて挿通固定される中間板状部を備え、この中間板状部の両側の両側板部の先端部に押え部材を押える押えアーム部を備えるとともに、両側板部の基端部に前記中間板状部と同一面をなしコンクリート構造物に当接される弾性当接部を備えてなることを特徴とするものである。
【００１４】
さらに、この発明の請求項７記載のコンクリート構造物用伸縮継手の固定部材は、請求項６記載の構成に加え、前記押えアーム部を、両側板部に加えて両側板部の中間部の中間押えアーム部を設けて構成したことを特徴とするものである。
【発明の効果】
【００１５】
この発明の請求項１記載のコンクリート構造物用伸縮継手の固定構造によれば、コンクリート構造物間の目地部に跨って配置される可撓性の伸縮継手と、この伸縮継手の両端部の碇着部に当てられて前記コンクリート構造物とで挟むように押える押え部材と、前記コンクリート構造物に取り付けたアンカーボルトで中間板状部が固定されこの中間板状部の両側に形成される両側板部の基端部を当該コンクリート構造物に当てるとともに、両側板部の先端部で前記押え部材を押えて前記碇着部を圧接する固定部材とを備えているので、可撓性の伸縮継手の碇着部に押え部材を当て、アンカーボルトに中間板状部が固定される固定部材の両側板部の先端部２箇所で押え部材を押えるとともに、両側板部の基端部の２箇所をコンクリート構造物に当てるようにすることで、アンカーボルトの位置にかかわらず、所定位置の押え部材を、荷重を分散して面圧を均一化して押えて伸縮継手を固定することができるとともに、コンクリート構造物に変位が生じた場合でも固定部材の両側板部の弾性的な変形を利用して均一な固定状態を維持することができる。
【００１６】
これにより、アンカーボルトの取り付け位置が決まる前でも可撓性の伸縮継手、押え部材、固定部材を製作でき、施工も容易で、短期間に交換・補修することができる。
【００１７】
また、この発明の請求項２記載のコンクリート構造物用伸縮継手の固定構造によれば、前記押え部材をリップ溝型形状に構成したので、板状の場合に比べ、剛性を高めることができるとともに、軽量化を図ることができる。
【００１８】
さらに、この発明の請求項３記載のコンクリート構造物用伸縮継手の固定構造によれば、前記固定部材の両側板部の前記先端部に、前記押え部材を乗り越えて係止する係止突起部を形成して構成したので、係止突起部を押え部材の外側に乗り越えるようにすることで、確実に押えることができ、コンクリート構造物の変位によっても外れることを防止して確実に押さえることができる。
【００１９】
また、この発明の請求項４記載のコンクリート構造物用伸縮継手の固定構造によれば、前記固定部材の両側板部の中間部に、前記押え部材を圧接する中間押えアーム部を設けて構成したので、一層所定位置の押え部材を、荷重を分散して面圧を均一化して押えて伸縮継手を固定することができる。
【００２０】
さらに、この発明の請求項５記載のコンクリート構造物用伸縮継手の固定方法によれば、コンクリート構造物間の目地部に跨って配置される可撓性の伸縮継手をコンクリート構造物に固定するに際し、前記伸縮継手の碇着部に押え部材を当てて前記コンクリート構造物とで挟むようにした後、前記碇着部より外側の前記コンクリート構造物に取り付けたアンカーボルトに固定部材の中間板状部を仮止めし、この固定部材を回転または移動させて前記中間板状部の両側に形成した両側板部の基端部を当該コンクリート構造物に当てるとともに、両側板部の先端部で前記押え部材を押え、当該固定部材をアンカーボルトに締め付けるようにしたので、可撓性の伸縮継手の碇着部に押え部材を当て、アンカーボルトに固定部材の中間板状部が仮固定しておき、固定部材を、アンカーボルトを中心に回転し、あるいは移動させて両側板部の先端部２箇所で押え部材を押えるとともに、両側板部の基端部の２箇所をコンクリート構造物に当てて締め付けるようにすることで、アンカーボルトの位置にかかわらず、押え部材を所定位置で荷重を分散して面圧を均一化した状態で伸縮継手を固定することができるとともに、コンクリート構造物に変位が生じた場合でも固定部材の両側板部の弾性的な変形を利用して均一な固定状態を維持することができる。
【００２１】
これにより、アンカーボルトの取り付け位置が決まる前でも可撓性の伸縮継手、押え部材、固定部材を製作でき、仮固定した固定部材を回転または移動して締め付けるだけで、施工も容易で、短期間に交換・補修することができる。
【００２２】
また、この発明の請求項６記載のコンクリート構造物用伸縮継手の固定部材によれば、アンカーボルトにて挿通固定される中間板状部を備え、この中間板状部の両側の両側板部の先端部に押え部材を押える押えアーム部を備えるとともに、両側板部の基端部に前記中間板状部と同一面をなしコンクリート構造物に当接される弾性当接部を備えているので、アンカーボルトで締め付ける中間板状部の１箇所と、両側板部の先端部の２箇所および基端部の２箇所の合計５箇所で荷重を分散して押え部材を押えることができるとともに、中間板状部を仮固定して回転させたり、移動して締め付けることで、簡単に施工することができる。
【００２３】
さらに、この発明の請求項７記載のコンクリート構造物用伸縮継手の固定部材によれば、前記押えアーム部を、両側板部に加えて両側板部の中間部の中間押えアーム部を設けて構成したので、所定位置の押え部材を、中間押えアーム部によっても圧接することもでき、一層荷重を分散して面圧を均一化して押えて伸縮継手を固定することができる。
【発明を実施するための最良の形態】
【００２４】
以下、この発明を実施するための最良の形態について、図面に基づき詳細に説明する。  
図１〜図４はこの発明のコンクリート構造物用伸縮継手の固定構造およびその固定部材の一実施の形態にかかり、図１は部分拡大斜視図、図２は全体の概略横断面図、図３は押え部材の弾性変形状態を誇張して示す説明図、図４は固定部材の弾性変形状態を誇張して示す説明図である。
【００２５】
このコンクリート構造物用伸縮継手の固定構造(以下、単に固定構造とする。)１０では、例えば図２に示すように、既設のコンクリート構造物１１，１１の目地部１２に跨るように施工することで、止水するとともに、目地部１２の両側のコンクリート構造体１１，１１の不等沈下や地震時変位並びに温度変化等に起因する壁部分の伸縮等を許容するゴムや合成樹脂などの可撓性の伸縮継手１３の固定に特徴があり、新設するアンカーボルト１４のボルトピッチに鉄筋などとの干渉防止のためにズレなどが生じても簡単に対応できるようにするとともに、締付け力を分散して均一に固定できるようにしたものである。
【００２６】
この固定構造１０に用いられる可撓性の伸縮継手１３は、長尺帯状の幅方向中間部に略Ω字状に折り畳んだ折り畳み部１３ａを備えるとともに、幅方向両端部に平板状の碇着部１３ｂが設けられてゴムや合成樹脂などの弾性部材で構成され、必要に応じて補強部材が一層ないし複数層埋設される。
【００２７】
この固定構造１０では、コンクリート構造物１１、１１の目地部１２を跨ぐように伸縮継手１３の碇着部１３ｂ、１３ｂが配置されるが、コンクリート構造物１１、１１の目地部１２上にポリエステルなどの補強布１５が敷かれ、その上に伸縮継手１３が設置され、この伸縮継手１３の両側の碇着部１３ｂ、１３ｂまでの上部全体を覆うように保護カバー１６が設けられる。
【００２８】
そして、この固定構造１０では、図１および図２に示すように、伸縮継手１３の碇着部１３ｂに当てられる押え部材１７が用いられ、上方が開口した略コ字状のリップ溝型形状の横断面形状のもので構成され、例えば溝幅を５０ｍｍ、溝高さを２５ｍｍ、厚さを２ｍｍ、リップ幅を１０ｍｍとする。このリップ溝型形状の横断面形状により、幅５０ｍｍ、厚さ１６．７ｍｍの平板状とする場合に比べ、同一の剛性を確保しながら、重量を１／３．７３に軽量化することができる。
【００２９】
なお、さらに剛性を上げる必要がある場合には、溝底部上に平板状の板を介在させるようにすれば良い。
【００３０】
このような押え部材１７を用いる固定構造１０では、図１および図２に示すように、押え部材１７をアンカーボルト１４で直接コンクリート構造物１１、１１に固定することなく、伸縮継手１３の外側に植設するアンカーボルト１４を介して固定部材１８を締め付け、この固定部材１８を介して押え部材１７を固定する。
【００３１】
この固定部材１８は、図１および図２に示すように、アンカーボルトにて挿通固定される中間板状部１８ａを備えてアンカーボルト１４用の取り付け穴１８ｂが形成され，この中間板状部１８ａの両側を内側に曲げ起こすように曲げ加工して両側板部１８ｃ、１８ｃが形成してある。これら両側板部１８ｃのそれぞれの先端部に押え部材１７を押える押えアーム部１８ｄが突き出すように形成されるとともに、両側板部１８ｃのそれぞれの基端部に中間板状部１８ａと空間を隔てて同一面をなしコンクリート構造物１１に当接されるように内側に突き出した弾性当接部１８ｆを一体に形成して構成してある。
【００３２】
そして、この固定部材１８では、押えアーム部１８ｄの突き出し長さが押え部材１７の溝幅に対応する長さとされ、押えアーム部１８ｄの先端部に係止突起部１８ｅが形成してあり、係止突起部１８ｅが押え部材１７の外側に位置する状態（押え部材１７を乗り越えた状態）で係止できるようにしてある。また、この固定部材１８では、中間板状部１８ａの下面から両側板部１８ｃの押えアーム部１８ｄの下面までの距離（側板部の高さに相当）をアンカーボルト１４に締め付けたときに、押え部材１７を介して伸縮継手１３の碇着部１３ｂをコンクリート構造物１１に圧着するのに必要な面圧を発生できるように設定してある。
【００３３】
次に、このような固定部材１８を用いる伸縮継手１３の固定方法の一実施の形態について説明する。
【００３４】
予め、伸縮継手１３、押え部材１７および固定部材１８を工場で製作するとともに、施工現場では、伸縮継手１３の碇着部１３ｂ、１３ｂの外側となるコンクリート構造物１１、１１にアンカーボルト１４を植設する。
【００３５】
この後、まず、コンクリート構造物１１,１１の目地部１２に跨るように補強布１５を敷き、その上に伸縮継手１３を配置し、その外側を保護カバー１６で覆って伸縮部材１３を設置する。
【００３６】
そして、伸縮継手１３の碇着部１３ｂ、１３ｂ上に押え部材１７を配置し、押え部材１７の両端部など仮固定に必要な位置において、アンカーボルト１４を利用して固定部材１８を締め付けて押え部材１７を介して伸縮継手１３を仮固定する。
【００３７】
なお、碇着部１３ｂ上に押え部材１７を配置する場合の連結部では、これまでのアンカーボルトで直接固定する場合のようなボルト穴の位置調整のため隙間(クリアランス)が必要でなく、密着させた状態で押え部材１７を配置することができ、特にコーナ部分でも隙間（クリアランス）を設けることなく連結して配置することができ、これによって面圧を均一にして締め付けることができる。
【００３８】
こうして仮固定した後、固定部材１８の中間板状部１８ａの取り付け穴１８ｂにアンカーボルト１４を挿通してナット１４ａで仮止めして回転できる状態あるいは移動できる状態とした後、アンカーボルト１４を中心に回転したり、移動して固定部材１８の先端部の係止突起部１８ｅが押え部材１７を乗り越えるようにして押えアーム部１８ｄを押え部材１７上に位置させるとともに、基端部の弾性当接部１８ｆをコンクリート構造物１１に当接させる。
【００３９】
この後、ナット１４ａをアンカーボルト１４に締め付けることで固定部材１８を締め付けて押え部材１７を介して伸縮継手１３の碇着部１３ｂをコンクリート構造物１１に圧着する。
【００４０】
なお、アンカーボルト１４としては、例えばケミカルアンカーが用いられ、ステンレス製のＭ１６のボルトが使用される。
【００４１】
このようなアンカーボルト１４への固定部材１８の仮固定、固定部材１８の回転または移動、固定部材１８の締め付け作業を繰り返すことで伸縮継手１３の固定が完了する。
【００４２】
この固定構造１０での固定部材１８による締付け状態では、固定部材１８の中間板状部１８ａに加えられた締付け力が、両側板部１８ｃの押えアーム部１８ｄの２箇所と弾性当接部１８ｆの２箇所の合計４箇所に分散されて加わることになり、これまでのアンカーボルトに直接固定する場合などに比べ締付け面圧を均一にすることができる。これにより、アンカーボルト１４のボルトピッチを大きくすることもでき、工数削減を図ることができる。
【００４３】
また、この固定構造１０では、締付け力によって、固定部材１８の両側板部１８ｃが、図４に示すように、外側に広がるように弾性変形するとともに、弾性当接部１８ｆが弾性変形することおよび締付け力によって、図３に示すように、押え部材１７の両側部が倒れるように弾性変形した状態で固定されるので、コンクリート構造物１１に変位が生じた場合でもこれらの弾性変形によるばね効果によって締付面圧の低下を低減して固定状態を保持することができる。
【００４４】
さらに、この固定構造１０では、伸縮継手１３の碇着部１３ｂを直接アンカーボルトで固定する場合に比べ、アンカーボルト１４での締め付けは固定部材１８の中間板状部の厚さだけとなって伸縮継手１３の厚さ分だけ締付高さを低くすることができ、コンクリート構造物１１の内部空間への影響を抑えることができる。
【００４５】
また、固定部材１８の押えアーム部１８ｄの係止突起部１８ｅによって、例えコンクリート構造物１１に変位が生じても固定部材１８の押えアーム部１８ｄが外れ難く、抜け防止効果を増大することができる。
【００４６】
このような固定構造、固定方法、および固定部材によれば、これまでのアンカーボルトの位置が決まってからボルトピッチを測定し、これに基づいて可撓性の伸縮継手、押え部材、保護カバーなどの穴加工をする必要がなく、アンカーボルト１４の設置と並行して可撓性の伸縮継手１３、押え部材１７、固定部材１８の製作を行うことができ、固定構造１０の施工を短期間に完了することができる。
【００４７】
次に、この発明の他の一実施の形態にかかる固定部材について、図５に基づき説明する。
この固定部材２８は、溶接構造などによって構成されるものであり、アンカーボルトにて挿通固定される水平な中間板状部２８ａを備えてアンカーボルト１４用の取り付け穴２８ｂが形成され，この中間板状部２８ａの両側に折り曲げ部で補強された両側板部２８ｃ、２８ｃが溶接などで設けてある。これら両側板部２８ｃのそれぞれの先端部に押え部材１７を押える押えアーム部２８ｄが突き出すように形成されるとともに、両側板部２８ｃの中間部に中間押えアーム部２８ｇが設けられて前後２本の支持部材２８ｈで支持固定されている。さらに、両側板部２８ｃのそれぞれの基端部に中間板状部２８ａと空間を隔てて下方に位置してコンクリート構造物１１に当接される棒状の弾性当接部２８ｆが連結するように溶接して設けてある。
【００４８】
そして、この固定部材２８では、押えアーム部２８ｄおよび中間押えアーム部２８ｇの突き出し長さが押え部材１７の溝幅に対応する長さとされ、押えアーム部２８ｄおよび中間押えアーム部２８ｇの先端部を連結する支持部材２８ｈが係止突起部２８ｅと兼用するようになっており、係止突起部２８ｅが押え部材１７の外側に位置する状態（押え部材１７を乗り越えた状態）で係止できるようにしてある。また、この固定部材２８では、中間板状部２８ａの下面から両側板部２８ｃの押えアーム部２８ｄおよび中間押えアーム部２８ｇの下面までの距離（側板部の高さに相当）をアンカーボルト１４に締め付けたときに、押え部材１７を介して伸縮継手１３の碇着部１３ｂをコンクリート構造物１１に圧着するのに必要な面圧を発生できるように設定してある。
【００４９】
このような固定部材２８によっても既に説明した固定部材１８と同様にして押え部材１７を介して伸縮継手１３の碇着部１３ｂをコンクリート構造物１１に圧着することができ、しかも中間押えアーム部２８ｇによって三本の押えアーム部２８ｄ、２８ｇによって、一層荷重を分散して面圧を均一化して押えて伸縮継手１３を固定することができる。
【００５０】
なお、この中間押えアーム部２８ｇは、一本追加する場合に限らず、さらに複数本追加して設けて固定部材２８を構成するようにしても良く、一層荷重を分散することができる。
【００５１】
次に、この発明のさらに他の一実施の形態にかかる固定部材について、図６に基づき説明する。
この固定部材３８は、溶接構造などによって構成されるものであり、アンカーボルトにて挿通固定される水平な中間板状部３８ａを上方に備えてアンカーボルト１４用の取り付け穴３８ｂが形成され、この中間板状部３８ａの両側に下方に突き出すように両側板部３８ｃ、３８ｃが溶接などで設けてある。これら両側板部３８ｃのそれぞれの先端部に押え部材１７を押える押えアーム部３８ｄが突き出すように形成してある。さらに、両側板部３８ｃのそれぞれの基端部の下方に位置してコンクリート構造物１１に当接される曲げ加工して形成した弾性当接部３８ｆが設けてある。
【００５２】
そして、この固定部材３８では、押えアーム部３８ｄの突き出し長さが押え部材１７の溝幅に対応する長さとされ、押えアーム部３８ｄの先端上部を連結する中間板状部３８ａが補強部材を兼用するようになっており、剛性を高めることができるようにしてある。また、この固定部材３８では、中間板状部３８ａの下面から両側板部３８ｃの下面までの距離（側板部の高さに相当）をアンカーボルト１４に締め付けたときに、押え部材１７を介して伸縮継手１３の碇着部１３ｂをコンクリート構造物１１に圧着するのに必要な面圧を発生できるように設定してある。
【００５３】
このような固定部材３８によっても既に説明した固定部材１８、２８と同様にして押え部材１７を介して伸縮継手１３の碇着部１３ｂをコンクリート構造物１１に圧着することができ、しかも中間板状部３８ａによって両側板部３８ｃ、３８ｃおよび押えアーム部３８ｄの剛性を高めて、一層荷重を分散して面圧を均一化して押えて伸縮継手１３を固定することができる。
【００５４】
また、上記実施の形態では、可撓性の伸縮継手として中間部に折り畳み部を備えたものを例に説明したが、これに限らず、余長部を備えたものなど他の形状の可撓性の伸縮継手を用いることもできる。
【図面の簡単な説明】
【００５５】
【図１】この発明のコンクリート構造物用伸縮継手の固定構造およびその固定部材の一実施の形態にかかる部分拡大斜視図である。
【図２】この発明のコンクリート構造物用伸縮継手の固定構造およびその固定部材の一実施の形態にかかる全体の概略横断面図である。
【図３】この発明のコンクリート構造物用伸縮継手の固定構造およびその固定部材の一実施の形態にかかる押え部材の弾性変形状態を誇張して示す説明図である。
【図４】この発明のコンクリート構造物用伸縮継手の固定構造およびその固定部材の一実施の形態にかかる固定部材の弾性変形状態を誇張して示す説明図である。
【図５】この発明のコンクリート構造物用伸縮継手の固定構造およびその固定部材の他の一実施の形態にかかる固定部材の斜視図である。
【図６】この発明のコンクリート構造物用伸縮継手の固定構造およびその固定部材のさらに他の一実施の形態にかかる固定部材の斜視図である。
【図７】従来の止水構造の横断面図である。
【符号の説明】
【００５６】
１０        コンクリート構造物用伸縮継手の固定構造
１１        コンクリート構造物
１２        目地部
１３        可撓性の伸縮継手
１３ａ      折り畳み部
１３ｂ      碇着部
１４        アンカーボルト
１４ａ      ナット
１５        補強布
１６        保護カバー
１７        押え部材
１８        固定部材
１８ａ      中間板状部
１８ｂ      取り付け穴
１８ｃ      両側板部
１８ｄ      押えアーム部
１８ｅ      係止突起部
１８ｆ      弾性当接部
２８        固定部材
２８ａ      中間板状部
２８ｂ      取り付け穴
２８ｃ      両側板部
２８ｄ      押えアーム部
２８ｅ      係止突起部
２８ｆ      弾性当接部
２８ｇ      中間押えアーム部
２８ｈ      支持部材
３８        固定部材
３８ａ      中間板状部
３８ｂ      取り付け穴
３８ｃ      両側板部
３８ｄ      押えアーム部
３８ｆ      弾性当接部
【図１】
2010150807.tif 000003
【図２】
2010150807.tif 000004
【図３】
2010150807.tif 000005
【図４】
2010150807.tif 000006
【図５】
2010150807.tif 000007
【図６】
2010150807.tif 000008
【図７】
2010150807.tif 000009